(57)【要約】【課題】キーグリップ部に組み込むことができる送信アンテナを備えた電波式キ−レスキ−において、アンテナをプリント基板上から分離し、ケース外周部に配置することにより、ケースに金属加飾（金属粒子入り塗料等を含む）を行っても十分な送信性能を確保できる電波式キーレスキ−を提供する。【解決手段】キープレートの基端部にあるキーグリップにプリント基板２を設け、そのプリント基板をケース４で覆った電波式キ−レスキ−において、プリント基板２の外周でかつ、プリント基板２を覆うケース４によって形成したスペース５内に、送信アンテナ３を配置したことを特徴とする電波式キーレスキ−。【選択図】        図１
2004308363.tif 000002
【特許請求の範囲】
【請求項１】
キープレートの基端部にあるキーグリップにプリント基板を設け、そのプリント基板をケースで覆った電波式キ−レスキ−において、プリント基板の外周でかつ、プリント基板を覆うケースによって形成したスペース内に、送信アンテナを配置したことを特徴とする電波式キーレスキ−。
【請求項２】
前記スペースはケースに設ける金属加飾部の外側に配置されていることを特徴とする請求項１に記載の電波式キーレスキ−。
【請求項３】
前記アンテナは立体的に形成したことを特徴とする請求項１または請求項２に記載の電波式キーレスキ−。
【請求項４】
前記アンテナは積層状に形成したことを特徴とする請求項１または請求項２に記載の電波式キーレスキ−。
【発明の詳細な説明】
【０００１】
【発明の属する技術分野】
本発明は、例えば車両用ワイヤレスドアキーにおいて、キープレートのグリップ部に送信回路を組み込んだ電波式キーレスキーにに関するものである。
【０００２】
【従来の技術】
車両用送信機をリモコン操作できるように構成する場合、例えばイグニッションキー等のキーグリップ部に送信回路が内蔵された電波式キーレスキ−が良くしられている（特許文献１：実開平５−３５９７９号、特許文献２：特開平１０−６５４２２号）。
【０００３】
図面を参照してこうした電波式キーレスキーの代表的な構成を簡単に説明しておくと、図４、図５において、１０１は金属製のキープレート、１０２はキープレートのキーグリップ部に設けたプリント基板ユニットであり、このプリント基板１０２上に図５に示すようにアンテナ１０３が実装されている。そしてこのプリント基板は両面がケース１０４で覆われ、電波式キーレスキ−が構成されている。
【０００４】
【発明が解決しようとする課題】
しかしながら、この種の電波式キーレスキ−は、送信アンテナとなる金属線路１０３がユニット基板１０２上にプリントパターンとして実装されており、このため、キーグリップ部を構成するケース１０４が図４に示すように基板に設けたアンテナ１０３を包みこむような構造となり、電波レベル（送信性能）が低下するという問題がある。特にケース１０４に金属加飾（金属粒子入り塗料等を含む）を行った場合には電波が遮られ送信距離が短くなる。また、アンテナ１０３はプリント基板上にプリントパターンとして組み込まれているため、そのアンテナ長さはプリント基盤の実装面積に依存するため、必要な長さよりも短くなる。またその構成は平面に限られ、３次元的なアンテナ構造を採用することができず、制約のあるアッセンブリ構造の中でアンテナの実装スペースを確保することがむずかしい等の不都合がある。
【０００５】
本発明の目的は、上記問題点を解決するために、キーグリッブ部に組み込むことができる送信アンテナを備えた電波式キ−レスキ−において、アンテナをプリント基板上から分離し、ケース外周部に配置することにより、ケースに金属加飾（金属粒子入り塗料等を含む）を行っても十分な送信性能を確保できる電波式キーレスキ−を提供するものである。またアンテナをケース外周部に配置することで、アンテナはプリント基板スペースの制約を受けることがなくなり、また平面という制約も無くなるため、３次元構造のアンテナを構成することができる。そしてこのような構成により、実質的なアンテナ長さを必要長に近づけることができ送信性能の向上を確保することができる。
【０００６】
【課題を解決するための手段】
このため、本発明が採用した技術解決手段は、キープレートの基端部にあるキーグリップにプリント基板を設け、そのプリント基板をケースで覆った電波式キ−レスキ−において、プリント基板の外周でかつ、プリント基板を覆うケースによって形成したスペース内に、送信アンテナを配置したことを特徴とする電波式キーレスキ−であり、また、前記スペースはケースに設ける金属加飾部の外側に配置されていることを特徴とする電波式キーレスキ−であり、また、前記アンテナは立体的に形成したことを特徴とする電波式キーレスキ−であり、また、前記アンテナは積層状に形成したことを特徴とする電波式キーレスキ−である。
そして上記構成により本発明は、ケースに金属加飾（金属粒子入り塗料等を含む）を行っても十分な送信性能を確保できる。またアンテナをケース外周部に配置することで、アンテナはプリント基板スペースの制約を受けることがなくなり、また平面という制約も無くなるため、３次元構造のアンテナを構成することができる。そしてこのような構成により、実質的なアンテナ長さを必要長に近づけることができ送信性能の向上を確保することができる。
【０００７】
【発明の実施の形態】
本発明の実施形態に係る車両用の電波式キーレスキーを図面を参照して説明すると、図１は本電波式キーレスキ−の平面図、図２はケース側面の斜視図、図３はケース側面の他の例を示す斜視図である。
【０００８】
キープレート１のキーグリップ部には従来のキーレスキーと同様にプリント基板２が一体的に組付けられており、そのプリント基板２を挟むように合成樹脂などからなるケース４が配置されている。ケース４の外周には、アンテナ３を収納することができるスペース５が形成されており、このスペース内にアンテナ３が配置され、アンテナ３はプリント基板２上の回路とリード線６で接続されている。ケース４の中心部には適宜金属加飾部が構成され、キーの美観を高めている。また、ケース４の外周部にはスペース５内に収納するアンテナを保護するアンテナ保護部が形成されている。アンテナ３は図２に示すようにコイル状の３次元的構造としてアンテナ長を十分に確保できるようにしてある。また、スペース５内に配置したアンテナ３がグリップ部から引き出されぬよう、アンテナ３を収納したスペースは適宜手段（不図示）で被覆することが望ましい。また、図３にケース４の外周部に設けたスペース５内に収納するアンテナの形状について他の実施例をしめす。図３（ａ）ではアンテナ３がスペース内に複数配設され、各アンテナ３はケースの外周面に沿って外周面の幅方向に重ね合わせて構成されている。また図３（ｂ）ではアンテナ３がスペース５内にケース外周部を取り巻く様に構成されている。また図３（ｃ）ではアンテナ３がスペース５内に波状に構成されている。この様にスペース５を最大限に利用してアンテナ３を配設することで、アンテナ長を必要長に近づけることができ送信性能の向上を確保することができる。
【０００９】
以上、電波式キーレスキーの構成を説明したが、アンテナはキーグリップ部に設ける金属加飾部より外側のケース内スペースに配置する構成であれば、上記実施形態に限定されることなく、種々の形態を採用することができる。
また本発明はその精神また主要な特徴から逸脱することなく、他の色々な形で実施することができる。そのため前述の実施例は単なる例示に過ぎず、限定的に解釈してはならない。更に特許請求の範囲の均等範囲に属する変形や変更は全て本発明の範囲内のものである。
【００１０】
【発明の効果】
以上詳細に述べた如く本発明によれば、プリント基板をケースで覆った電波式キ−レスキ−において、プリント基板の外周でかつ、ケースによって形成したスペース内に、送信アンテナを配置することにより電波レベル（送信性能）の低下を防止することができる。また、スペース内ではアンテナを３次元で構成することができるため、必要なアンテナ長を確保することができる。またケースに金属加飾（金属粒子入り塗料等を含む）を行っても、アンテナが金属加飾より外側に配置されるため電波が遮られることがなく、十分な送信距離を確保できる。さらに電波式キーレスキ−のデザインの自由度が大きくなり、質感を高め、他社との差別化を図ることができる、等の優れた効果を奏することができる。
【図面の簡単な説明】
【図１】本発明の実施形態に係る車両用の電波式キーレスキーの平面図である。
【図２】図１中のケース側面の斜視図である。
【図３】ケース側面の他の例を示す斜視図である。
【図４】従来の電波式キーレスキーの平面図である。
【図５】図４の要部拡大図である。
【符号の説明】
１          キープレート
２          プリント基板
３          アンテナ
４          ケース
５          スペース
【図１】
2004308363.tif 000003
【図２】
2004308363.tif 000004
【図３】
2004308363.tif 000005
【図４】
2004308363.tif 000006
【図５】
2004308363.tif 000007